(57)【要約】      （修正有）【課題】電話機の呼出し音が鳴れば何をさておいても直ぐに受話器を取るような動作を促すことのできるワンコール促進装置を提供する。【解決手段】ワンコール促進装置は、電話機に取り付けられるワンコール促進装置１であって、外線５からの着信があったことを検出する着信検出手段３１と、電話機のオフフックを検出するオフフック検出手段３３と、着信検出手段３１による着信の検出後、発音までの時間を設定する発音開始時間設定手段３５と、予め設定した少なくとも９０ｄＢ以上の音量の音を発音する発音ユニット１１とを備える。さらに、着信検出手段３１によって着信を検出した後、発音開始時間設定手段３５で設定された時間を経過したときに発音ユニット１１に発音を指示する発音ユニット制御手段３７とを備えてなる。【選択図】図１
0003180984.tif 000002
【実用新案登録請求の範囲】
【請求項１】
電話機に取り付けられるワンコール促進装置であって、
外線からの着信があったことを検出する着信検出手段と、前記電話機のオフフックを検出するオフフック検出手段と、前記着信検出手段による着信の検出後、発音までの時間を設定する発音開始時間設定手段と、予め設定した少なくとも９０ｄＢ以上の音量の音を発音する発音ユニットと、前記着信検出手段によって着信を検出した後、前記発音開始時間設定手段で設定された時間を経過したときに前記発音ユニットに発音を指示する発音ユニット制御手段とを備えてなることを特徴とするワンコール促進装置。
【請求項２】
前記発音開始時間設定手段は、発音開始までの時間を任意に設定可能になっていることを特徴とする請求項１記載のワンコール促進装置。
【請求項３】
前記発音ユニットは、ライオンの鳴き声、チンパンジーの叫び声を選択できることを特徴とする請求項１又は２に記載のワンコール促進装置。
【請求項４】
前記発音ユニットは、９０ｄＢ以上の音量の発音を発することの他、音量を段階的に挙げていくように発音することや、小鳥のさえずりを発音することに切り替え可能になっていることを特徴とする請求項１乃至３のいずれかに記載のワンコール促進装置。
【考案の詳細な説明】
【技術分野】
【０００１】
本考案は、電話の呼出し音が鳴ったときに受話器を出来るだけ早く、できればワンコールで取るように促進するワンコール促進装置に関する。
【背景技術】
【０００２】
電話の呼出し音が鳴ったときに、受話器を取るのを促進する装置としては各種のものが提案されている。
例えば、特許文献１に提案されている電話機は、「交換機からの着信信号を検出し検出信号を出力する検出手段と、前記検出信号によって起動されるタイマーと、このタイマーの時間計測値によって音量の増幅度が変化する増幅器を含む呼出し音発生手段とを備えてなる」ものである。
【０００３】
特許文献１においては、自動的に呼出し音の音量を変化させることにより、電話機が比較的離れた場所に配置され呼出し音が小さいために呼出し音が何度も鳴っているが誰も出ないと言う問題を改善できるとともに、電話機の近くで呼出し音が大きな音で鳴り出し騒音のもとになるという問題も大幅に改善できるとしている。
【０００４】
また、特許文献２においては、電話機の近くに人がいる場合には着信があると短時間内に応答することを前提として、所定時間内に応答しない場合は電話機の周囲には人がいないものと見なして音量調整を解除して最大音量で鳴動させることにより、応答を促すようにした電話機が提案されている。
【先行技術文献】
【特許文献】
【０００５】
【特許文献１】特開昭６３−１７１０４６号公報
【特許文献２】特開昭６３−１２９７５３号公報
【考案の概要】
【考案が解決しようとする課題】
【０００６】
特許文献１、２に提案されている電話機は、いずれにおいても最初の呼出し音は通常の音量にしておき、電話機自体の音量を徐々に大きく、あるいは最大音量にするとしている。
特許文献１、２を含む従来の考え方は、電話機の近くに人がいれば直ぐに取ることを前提として、直ぐに取らない場合には、取る動作を促すため、すなわち近くにいる、あるいは遠くにいる人に気付かせるために音量を徐々にあるいは、最大音量にするという考え方であり、音量を徐々にあるいは最大音量を鳴らすことを基本としている。
つまり、近くにいる人は電話機の呼出し音が鳴れば受話器を取る、受話器を取らないのは呼出し音に気付かないかあるいは近くに人がいないからであるという前提の下に、音量を上げるという考えである。
【０００７】
しかしながら、電話機が執務環境に置かれている場合の実態を見てみると、電話機の呼出し音が鳴っても自分の仕事に集中しているような場合、数回のコールの後に電話を取るようなケースが多々見られる。このため、特許文献１，２のような電話機では、呼出し音の音量がある程度大きくなってから取ればよいということになる。つまり、特許文献１，２のような電話機では、受話器を誰も取らないというようなケースを回避できるかもしれないが、電話にいち早く出るということには結びつかない。
【０００８】
本考案はかかる課題を解決するためになされたものであり、電話機の呼出し音が鳴れば何をさておいても直ぐに受話器を取るような動作を促すことのできるワンコール促進装置を提供することを目的としている。
【課題を解決するための手段】
【０００９】
電話機の呼出し音を増幅するという考え方は、電話の近くに人がいれば直ぐに受話器を取ることを前提として、人がいない場合に音量を増幅することで気付かせるというものであった。そのため、上述したように、却って受話器を取るまでの時間を長くしてしまっていた。
【００１０】
そこで、考案者は、電話機の近くに人がいても電話を取らない場合があることを想定して、そのような想定の下でも、電話機の呼出し音が鳴ったらいち早く受話器を取るように促すにはどのようにしたらよいかを検討した。
その結果、呼出し音が鳴って、受話器がすぐに取られない場合には、近くにいる人がびっくりしたり不快になったりするような音を発生させることで、びっくりしたり、不快な音が発生する前に受話器を取るという習慣が身に着くという着想を得た。
【００１１】
つまり、従来は電話機の呼出し音に気付かせるために電話機の呼出し音を人が気づく程度に増幅した音を鳴らすようにしていために受話器を取るまでに時間が要していたのに対して、電話機の呼出し音ではなく人を驚愕させるような大音量の音を鳴るようにすることでそのような音が発音しないうちに受話器を取る習慣を身につけさせるという、従来とは全く異なる知見を得たのである。
【００１２】
本考案はかかる知見に基づくものであり、具体的には以下の構成を備えてなるものである。
【００１３】
（１）本考案に係るワンコール促進装置は、電話機に取り付けられるワンコール促進装置であって、
外線からの着信があったことを検出する着信検出手段と、前記電話機のオフフックを検出するオフフック検出手段と、前記着信検出手段による着信の検出後、発音までの時間を設定する発音開始時間設定手段と、予め設定した少なくとも９０ｄＢ以上の音量の音を発音する発音ユニットと、前記着信検出手段によって着信を検出した後、前記発音開始時間設定手段で設定された時間を経過したときに前記発音ユニットに発音を指示する発音ユニット制御手段とを備えてなることを特徴とするものである。
【００１４】
（２）また、上記（１）に記載のものにおいて、前記発音開始時間設定手段は、発音開始までの時間を任意に設定可能になっていることを特徴とするものである。
【００１５】
（３）また、上記（１）又は（２）に記載のものにおいて、前記発音ユニットは、ライオンの鳴き声、チンパンジーの叫び声を選択できることを特徴とするものである。
【００１６】
（４）また、上記（１）乃至（３）のいずれかに記載のものにおいて、前記発音ユニットは、９０ｄＢ以上の音量の発音を発することの他、音量を段階的に挙げていくように発音することや、小鳥のさえずりを発音することに切り替え可能になっていることを特徴とするものである。
【考案の効果】
【００１７】
本考案においては、外線からの着信があったことを検出する着信検出手段と、前記電話機のオフフックを検出するオフフック検出手段と、前記着信検出手段によって着信を検出後の時間等を検出する発音開始時間設定手段と、予め設定した少なくとも９０ｄＢ以上の音量の発音を発する発音ユニットと、前記着信検出手段によって着信を検出した後、前記発音開始時間設定手段で設定された時間を経過したときに前記発音ユニットに発音を指示する発音ユニット制御手段とを備えたことにより、着信後に予め設定した時間経過後に９０ｄＢ以上の音量の発音があるので、それを知っている者は発音がある前に受話器を取ろうと必死になり、それによって、大音量が発する前に受話器を取る習慣が身に付く。他方、電話をした側においてはいち早く受話器が取られることに感激し、電話をかけた側に好感を与え、人間関係の良好な関係を構築できる一助ともなり得る。
つまり、従来の電話機における音量増幅装置の考え方は、徐々に音量を上げるというように電話を受ける側の立場に配慮していたのに対して、本考案では電話をかけた側への配慮を最優先することにより、結果として電話を受けた者に対するメリットをもたらすものである。
【図面の簡単な説明】
【００１８】
【図１】本考案の一実施の形態に係るワンコール促進装置の構成を説明するためのブロック図である。
【図２】本考案の一実施の形態に係るワンコール促進装置の設置例を説明するための説明図である。
【図３】本考案の一実施の形態に係るワンコール促進装置の発音開始時間の設定の一例について説明する説明図である。
【図４】本考案の一実施の形態に係るワンコール促進装置の発音量と時間の関係について説明する説明図である。
【図５】ワンコール促進装置の発音のタイミングと発音量の関係の他の態様について説明する説明図である。
【図６】ワンコール促進装置の発音のタイミングと発音量の関係の他の態様について説明する説明図である。
【考案を実施するための最良の形態】
【００１９】
本考案の一実施の形態に係るワンコール促進装置１は、電話機３に取り付けられる装置であるため、まず電話機３について説明する。
［電話機］
電話機３には、図１および図２に示すように、取付線２を介してワンコール促進装置１が取り付けられている。そして、ワンコール促進装置１が外線５（アナログ電話回線）に接続されており、電話機３はワンコール促進装置１を介して外線５（アナログ電話回線）に接続されている。
電話機３は、一般的な電話機であり、例えば、図２に示すように、通話をするための受話器７と、電話機３を操作するためのキー操作部９とを備えている。そして、外線５からの着信信号を検出して呼出し音を鳴らし、また受話器７が取られた場合（オフフック）には呼出し音を停止し、通話中になる。
【００２０】
［ワンコール促進装置］
次に、本考案の一実施の形態に係るワンコール促進装置１について図１および図２に基づいて説明する。
ワンコール促進装置１は、取付線２によって電話機３に取り付けられており、外線５に接続されている。ワンコール促進装置１は、予め設定した少なくとも９０ｄＢ以上の大音量の音を発音する発音ユニット１１と、発音ユニット１１に接続されて発音ユニット１１の設定や制御を行う制御部１３と、ワンコール促進装置１に電源を供給するためのＡＣアダプタ１５および電源回路１７とを有している。
ワンコール促進装置１の発音ユニット１１と制御部１３について、図１に基づいて以下に詳細に説明する。
【００２１】
＜発音ユニット＞
発音ユニット１１は、予め設定した少なくとも９０ｄＢ以上の大音量の音を発音するユニットである。発音ユニット１１は、複数種類の発音を記憶する音源記憶手段２１と、音源記憶手段２１の中から実際に発音する音を選択する音源選択手段２３と、音源選択手段２３に選択指令を行う音源選択用ロータリーＳＷ２５と、音量調整手段２７と、スピーカ２９を有している。
音源記憶手段２１に記憶される発音の種類としては、例えばライオンの鳴き声、チンパンジーの叫び声などのように人に驚愕を与える驚愕音が好ましい。
なお、音源記憶手段２１は、着脱自在として、所望の音源を外部にて入力できるようにするのが好ましい。
【００２２】
また、受話器７を直ぐにとる習慣が身に着き驚愕音を発音させる必要がなくなったときには、例えば小鳥のさえずりのような音に切り替えられるようにするのが好ましく、そのために音源記憶手段２１には小鳥のさえずり等も記憶させておくのが好ましい。
音源選択用ロータリーＳＷ２５は使用者によって音源を選択できるようにするものである。
音量調整手段２７は、音量を調整するものであるが、少なくとも９０ｄＢ以上の音量を発するように調整できる。
【００２３】
＜制御部＞
次に、制御部１３について説明する。制御部１３は、外線５からの着信信号を検出して、電話機３に着信があったことを検出する着信検出手段３１と、電話機３のオフフックを検出するオフフック検出手段３３と、着信検出手段３１による着信の検出後、発音までの時間を設定する発音開始時間設定手段３５と、着信検出手段３１によって着信を検出した後、発音開始時間設定手段３５で設定された時間を経過したときに発音ユニット１１に発音を指示する発音ユニット制御手段３７とを備えてなることを特徴とするものである。
≪着信検出手段≫
着信検出手段３１は、外線５からの着信信号を検出することによって、電話機３に着信があったことを検出する。
【００２４】
≪オフフック検出手段≫
オフフック検出手段３３は、電話機３側のオフフック信号を検出して受話器が取られたこと（オフフック）を検出する。
【００２５】
≪発音開始時間設定手段≫
発音開始時間設定手段３５は、着信検出手段３１による着信の検出後、発音までの時間を設定する。具体的には、着信音のパルス数や着信後の経過時間を設定する。そのために、発音開始までの時間を使用者によって適宜設定できるように発音開始時間設定用ロータリーＳＷ３９が設けられている。
【００２６】
図３は電話機３の呼出音とワンコール促進装置１の発音とのタイミングを説明する説明図であり、図中上側が電話機３の呼出音を示し、図中下側がワンコール促進装置１の発音を示している。
また、図４は電話機３の呼出音及びワンコール促進装置１の発音の音量と時間との関係を示すグラフであり、ワンコール促進装置１の発音量を実線で示し、電話機３の着信音量を破線で示している。
図３及び図４に基づいて電話機３の呼出音とワンコール促進装置１の発音のタイミング及び音量の関係を説明する。
【００２７】
例えば、発音開始時間設定用ロータリーＳＷ３９によって、呼出し音が２回鳴った時点でワンコール促進装置１の発音を行うように設定した場合、図３に示すように、着信後約６秒間経過してワンコール促進装置１による発音が行われる。
ワンコール促進装置１の発音は、図４に示すように、電話機３の呼出し音よりも遥かに大音量であり、かつ電話機３の呼出し音と共に発せられる。
このように、ワンコール促進装置１を取り付けると、電話機３の呼出し音の後、急に大きな驚愕音が発音するため、それを知っている者は驚愕音が発音される前に受話器７を取ろうと必死になる。それによって、大音量が発する前に受話器７を取る習慣が身に付くことになる。
なお、本考案の装置は電話の着信音が１回鳴っただけで受話器７を取るように促すものであるため、発音開始時間設定手段３５は少なくとも着信音が１回鳴った時間を設定できるようにするのが好ましい。
【００２８】
≪発音ユニット制御手段≫
発音ユニット制御手段３７は、着信検出手段３１によって着信を検出した後、発音開始時間設定手段３５で設定された時間を経過したときに発音ユニット１１に発音を指示する。
なお、着信検出後、発音開始時間設定手段３５で設定された時間の経過前に、オフフック検出手段３３によって電話機３のオフフックを検出した場合、あるいは、着信検出手段３１によって外線５からの着信信号を検出しなくなった場合、発音ユニット制御手段３７は、発音ユニット１１への発音指示は行わない。
【００２９】
また、発音ユニット１１が発音中において、オフフック検出手段３３によって電話機３のオフフックを検出した場合、あるいは、着信検出手段３１によって外線５からの着信信号を検出しなくなった場合、発音ユニット制御手段３７は、発音ユニット１１に発音を停止するように指示する。
【００３０】
以上のように構成された本実施の形態に係るワンコール促進装置１を用いて、ワンコール促進を行う一例を、ワンコール促進装置１の動作と共に説明する。
ワンコール促進装置１を電話機３に取り付けるに際して、電話機３の使用者に対して呼出し音が鳴ったら直ぐに受話器７を取らないと驚愕音が発せられる旨を説明しておく。
上述したように、電話機３は外線５から着信信号を検出すると、呼出し音が鳴り始める。これとともに、ワンコール促進装置１においても着信検出手段３１によって、着信信号が検出され、発音ユニット制御手段３７によって時間の計測が開始される。
呼出し音が鳴ったら直ぐに受話器７を取らないと驚愕音が発せられるという説明を受けている使用者は、直ぐに受話器７を取ることが期待される。受話器７が取られると、驚愕音が発せられることはない。
【００３１】
仮に、受話器７が取られることなく、発音開始時間設定手段３５で設定された時間を経過すると、発音ユニット制御手段３７は、発音ユニット１１に発音を指示する。
発音の指示を受けた発音ユニット１１は、予め設定した少なくとも９０ｄＢ以上の大音量の驚愕音を発音する。
驚愕音が発音されると、近くにいる者は驚いて受話器７を取ると共、周辺にいる人々から直ぐに受話器７を取らなかったことを責められる。そのため、以後は驚愕音が発音される前に受話器７を取る習慣が身に着く。
なお、驚愕音の発音中に電話機３の受話器７が取られた場合は、そのことがオフフック検出手段３３によって検出されて、発音ユニット制御手段３７によって発音ユニット１１に発音を停止するように指示し、驚愕音の発音が停止する。
【００３２】
以上のように本実施の形態においては、着信後に予め設定した時間経過後に９０ｄＢ以上の大音量の驚愕音を発音するようにしたので、それを知っている者は発音がある前に受話器を取ろうと必死になる。これによって、大音量の驚愕音が発音される前に受話器を取る習慣が身に付き、電話をした側においてはいち早く受話器が取られることに感激し、電話をかけた側に好感を与え、人間関係の良好な関係を構築できる一助ともなり得る。
【００３３】
なお、上記では、ワンコール促進装置１の発音量が発音開始から一定音量で発音するように設定した例を示したが（図４参照）、図５に示すように、段階的に音量が大きくなるように設定することを排除するものではない。
また、図６に示すように、発音量が発音開始から一定音量となるのではなく、間欠的な発音になるようにしてもよい。前述したライオンの鳴き声等の動物の鳴き声の場合にはこのような間欠的な発音となる。
【００３４】
なお、音源記憶手段２１に記憶音源として、小鳥のさえずり等の音源を入れておき、驚愕音と切り替えることができるようにすることで、驚愕音を発音できないような使用環境での使用も可能になる。
なお、休日のように驚愕音が発せられると迷惑になるような場合には、音量をゼロにするか、あるいはワンコール促進装置１の電源をオフにするようにすればよい。
【符号の説明】
【００３５】
１  ワンコール促進装置
２  取付線
３  電話機
５  外線
７  受話器
９  キー操作部
１１  発音ユニット
１３  制御部
１５  ＡＣアダプタ
１７  電源回路
２１  音源記憶手段
２３  音源選択手段
２５  音源選択用ロータリーＳＷ
２７  音量調整手段
２９  スピーカ
３１  着信検出手段
３３  オフフック検出手段
３５  発音開始時間設定手段
３７  発音ユニット制御手段
３９  発音開始時間設定用ロータリーＳＷ
【図１】
0003180984.tif 000003
【図２】
0003180984.tif 000004
【図３】
0003180984.tif 000005
【図４】
0003180984.tif 000006
【図５】
0003180984.tif 000007
【図６】
0003180984.tif 000008